(57)【特許請求の範囲】
【請求項１】
ハードウェアキーボードによる入力操作が可能な画像形成装置であって、
画面表示のためのディスプレイと、
前記ハードウェアキーボードによるキー入力を受け付ける複数のキー入力画面を含む複数の操作画面をユーザー操作に応じて選択的に前記ディスプレイに表示させる表示制御部と、
前記ハードウェアキーボードが操作可能に配置されたか否かを判定する状態判定部と、を有し、
前記表示制御部は、前記ハードウェアキーボードが操作可能に配置されたと前記状態判定部によって判定されたときに、前記複数のキー入力画面のそれぞれへの画面切替えを指示する複数のショートカットキーのうちの少なくとも一つを有する切替え指示画面を前記ディスプレイに表示させる
ことを特徴とする画像形成装置。
【請求項２】
前記ハードウェアキーボードは、前記ディスプレイの下方の収納位置から前方へ引き出されることによって操作可能になる
請求項１記載の画像形成装置。
【請求項３】
前記表示制御部は、前記ハードウェアキーボードが操作可能に配置された時点で表示されている操作画面に応じて、前記切替え指示画面において表示させる前記ショートカットキーを切り替える
請求項１または２記載の画像形成装置。
【請求項４】
前記表示制御部は、前記ハードウェアキーボードが操作可能に配置された時点で表示されている操作画面の予め定められた画面階層の順位に応じて、複数のショートカットキーのうちの当該操作画面およびそれよりも下位の操作画面のいずれかに関係するショートカットキーのみを表示させる
請求項３記載の画像形成装置。
【請求項５】
ハードウェアキーボードによる入力操作が可能な画像形成装置において実行されるコンピュータプログラムであって、
前記画像形成装置が有するコンピュータによって実行されたときに、
前記ハードウェアキーボードが操作可能に配置されたか否かを判定する状態判定部と、
前記ハードウェアキーボードによるキー入力を受け付ける複数のキー入力画面を含む複数の操作画面を、前記画像形成装置のユーザーによる操作に応じて選択的に前記画像形成装置に備わるディスプレイに表示させ、前記ハードウェアキーボードが操作可能に配置されたと前記状態判定部によって判定されたときに、前記複数のキー入力画面のそれぞれへの画面切替えを指示する複数のショートカットキーのうちの少なくとも一つを有する切替え指示画面を前記ディスプレイに表示させる表示制御部と、を前記コンピュータに実現させる
ことを特徴とするコンピュータプログラム。
【発明の詳細な説明】
【技術分野】
【０００１】
本発明は、ハードキーが配列されたハードウェアキーボードによる入力操作が可能な画像形成装置および画像形成装置において実行されるコンピュータプログラムに関する。画像形成装置には、プリンタ、複写機、およびＭＦＰ（Multifunction Peripheral）が含まれる。
【背景技術】
【０００２】
ＭＦＰまたは複合機と呼ばれるビジネスユースの情報機器がある。ＭＦＰは、画像形成装置としての機能であるコピーおよびネットワークプリンティングに加えて、イメージ入力（スキャニング）、ファクシミリ通信、電子メール送受信、ドキュメントの保存などの多数の機能を有している。
【０００３】
ＭＦＰのように多様な動作が可能な機器において、操作のためのマンマシンインタフェースとしてタッチパネルが採用されている。ここでいうタッチパネルは、画面表示の可能なディスプレイとタッチ式ポインティングデバイスとを組み合わせた装置である。タッチパネルを備える機器では、タッチ入力に応じて表示内容が切り替わる。
【０００４】
タッチパネルにおいて選択的に表示される複数の操作画面は階層化され、各操作画面に配置する操作キーおよび各操作画面の階層順位がユーザーの使い勝手が良いように選定されている。一般に、操作の項目は大中小というように体系的に分類され、大項目の選択や指定のための操作画面が階層の上位に配置され、より小さい項目の選択や指定のための操作画面がより下位に配置される。そして、操作画面の表示は上位から下位へと切り替えられる。ユーザーは、上位の操作画面で適切に操作することにより、所望の下位の操作画面を表示させることができる。
【０００５】
このようなタッチパネルを有する画像形成装置において、ハードウェアキーボードによる入力操作を可能にすることで、パスワード入力やアドレス登録といった各種の連続文字入力の操作性を改善することができる。タッチパネルにソフトウェアキーボードを表示させる場合、キーサイズは画面サイズに依存する。入力内容のモニター表示に表示面の一部を使用すると、その分だけキーボードの表示領域が狭まる。ハードウェアキーボードをタッチパネルと別に設けることで、キーサイズの制約が緩和されるとともに、表示面の全体をキーボードの表示以外に使用することが可能になる。
【０００６】
ハードウェアキーボードの着脱に関して、ハードウェアキーボードの取り外しを検知して所定の処理を行う画像形成装置が特許文献１に記載されている。この画像形成装置は、ＵＳＢキーボードの接続を可能にするためのインタフェースを有し、ＵＳＢキーボードの接続後にログインがなされた場合にＵＳＢキーボードの取り外し時にログアウト処理をする。
【先行技術文献】
【特許文献】
【０００７】
【特許文献１】特開２０１０−２１７２４号公報
【発明の概要】
【発明が解決しようとする課題】
【０００８】
ユーザーが設定することのできる項目が大小合わせて数百を超える画像形成装置では、操作画面の数および階層数が多い。加えて、キーボードによる入力を必要とする操作画面どうしの関連性が複雑である。例えば、ファクシミリに関しては、原稿から読み取った画像を送信する場合には送信先のアドレスを入力すればよいが、個人ボックスと呼ばれる記憶媒体によって保存されている画像を送信する場合には、送信先アドレスの入力に先立って個人ボックスにアクセスするためのパスワードを入力しなければならない。このため、ユーザーが所望の設定をするために何回も画面の切り替えを指示しなければならない状況がしばしば発生し、ユーザーがキーボードを用いて入力したいと思う操作画面を表示させるのに手間取ることも多い。
【０００９】
本発明は、このような事情に鑑み、ユーザーがキーボードによる入力操作を効率よく行うことができるように操作性を向上させることを目的としている。
【課題を解決するための手段】
【００１０】
上記目的を達成する画像形成装置は、ハードウェアキーボードによる入力操作が可能な画像形成装置であって、画面表示のためのディスプレイと、前記ハードウェアキーボードによるキー入力を受け付ける複数のキー入力画面を含む複数の操作画面をユーザー操作に応じて選択的に前記ディスプレイに表示させる表示制御部と、前記ハードウェアキーボードが操作可能に配置されたか否かを判定する状態判定部と、を有する。この画像形成装置において、表示制御部は、前記ハードウェアキーボードが操作可能に配置されたと前記状態判定部によって判定されたときに、前記複数のキー入力画面のそれぞれへの画面切替えを指示する複数のショートカットキーのうちの少なくとも一つを有する切替え指示画面を前記ディスプレイに表示させる。
【発明の効果】
【００１１】
本発明によれば、画像形成装置のユーザーは、ハードウェアキーボードが操作可能に配置されたときに、ショートカットキーを有する切替え指示画面が表示されるので、画像形成装置のユーザーはショートカットキーを操作するだけで迅速に所望のキー入力画面を表示させてハードウェアキーボードによるキー入力を始めることができる。
【図面の簡単な説明】
【００１２】
【図１】本発明の実施形態に係る情報処理システムの構成を示す図である。
【図２】ＭＦＰのハードウェア構成を示す図である。
【図３】ＭＦＰに備わる制御回路のハードウェアキーボードに関わる機能構成を示す図である。
【図４】ＭＦＰにおけるハードウェアキーボードの装着の形態を示す図である。
【図５】ＭＦＰの動作を示すフローチャートである。
【図６】ハードウェアキーボードが操作可能に配置されたときの操作画面の切替えの具体例を示す図である。
【図７】画面階層の最上位の待機画面の例を示す図である。
【図８】待機画面が表示されているときにハードウェアキーボードが操作可能に配置された場合に表示される切替え指示画面の例を示す図である。
【図９】ファクシミリ機能画面の例を示す図である。
【図１０】ファクシミリ機能画面が表示されているときにハードウェアキーボードが操作可能に配置された場合に表示される切替え指示画面の例を示す図である。
【図１１】ボックス機能画面の例を示す図である。
【図１２】ボックス機能画面が表示されているときにハードウェアキーボードが操作可能に配置された場合に表示される切替え指示画面の例を示す図である。
【図１３】サービスマン用画面の例を示す図である。
【図１４】サービスマン用画面が表示されているときにハードウェアキーボードが操作可能に配置された場合に表示される切替え指示画面の例を示す図である。
【発明を実施するための形態】
【００１３】
ハードウェアキーボードによる入力操作が可能な画像形成装置の例としてＭＦＰを挙げる。図１に例示されるＭＦＰ１はインターネット９に繋がる例えば企業のＬＡＮ(Local Area Network)のようなネットワーク４に接続され、複数のパーソナルコンピュータ５，６，７、サーバー８、他のＭＦＰ１ｂなどの外部機器と通信可能に接続される。ネットワーク４は、有線ネットワーク、無線ネットワーク、および有線と無線とが混在するネットワークのいずれでもよい。ＭＦＰ１はパーソナルコンピュータ５，６，７を含む外部機器からのアクセスおよび操作パネル１０による操作に応じて動作する。例示のＭＦＰ１の操作パネル１０は、操作面が若干前方に傾く斜め上方に向くように筐体上部の前側に配置されている。
【００１４】
ＭＦＰ１は、画像形成装置としての機能であるコピーおよびネットワークプリンティングの他に様々な機能を有している。ＭＦＰ１は、シート状の原稿から画像を読み取って外部機器へ送信したり、外部機器からの要求に応えて保存データを要求元または指定先に送信したり、外部機器から与えられたデータについて印刷・ファクシミリ送信・ボックス保存といった処理を行ったりすることができる。また、ＭＦＰ１は、電子メールを受信して印刷したり、受信した電子メールを外部機器へ転送したり、操作パネル１０を用いて指定された宛先に保存データを電子メールに添付して送信したりすることができる。
【００１５】
ＭＦＰ１のハードウェア構成が図２に示される。操作パネル１０は、タッチパネル１０、ハードウェアキーボード１０２、およびハードウェアキーボード１０２を制御用のバスに接続するキーボードインタフェース１０３を有する。ＭＦＰ１の全体の制御を受け持つ制御回路１１は、制御プログラムを記憶するＲＯＭ１１２、制御プログラムやアプリケーションを実行するコンピュータとしてのＣＰＵ（central processing unit）１１３、プログラム実行のワークエリアとされるＳ−ＲＡＭ（Static Random Access Memory）１１５、各種の設定を記憶するバッテリバックアップされたＮＶ−ＲＡＭ（不揮発性メモリ）１１６、およびシステム時刻を計時する集積回路１１８を有する。
【００１６】
ＡＤＦ(Auto Document Feeder)１２は、原稿台を有しており、コピー、イメージ入力、またはファクシミリ送信において、原稿シートを原稿台からイメージスキャナ１３の読取り位置へ搬送する。イメージスキャナ１３は原稿シートに記録されている画像情報を光学的に読み取る。プリンタコントローラ１４は、外部機器から受信したプリントデータのビットマップ展開を含む印刷のための種々の処理を担う。プリンタエンジン１５は、多段形式の用紙ストッカ１６から供給される用紙の片面または両面にモノクロまたはカラーの画像を印刷する。ストレージ１７はハードディスクドライブのような大容量記憶デバイスである。ストレージ１７には、操作画面の表示のためのデータを含む制御データを記憶するメモリ領域とともに、各種ドキュメントのファイルを保存するメモリ領域（いわゆるボックス）が設けられる。ネットワークインタフェース１８はＭＦＰ１をネットワーク４に接続し、ＭＦＰ１と外部とのＬＡＮ通信およびファクシミリ通信を可能にする。
【００１７】
図３は制御回路１１のハードウェアキーボード１０２に関わる機能構成を示す。制御回路１１は、表示制御部１２０および状態判定部１３０を有する。これら要素は、ＣＰＵ１１３が所定の制御プログラムを実行することによって実現される機能要素である。
【００１８】
表示制御部１２０は、ハードウェアキーボード１０２によるキー入力を受け付ける操作画面である複数のキー入力画面および他の操作画面を選択的にタッチパネル１０１のディスプレイに表示させる。表示制御部１２０がいずれの操作画面を表示させるかは、タッチパネル１０１およびハードウェアキーボード１０１による操作の内容と状態判定部１３０による判定の結果とに依存する。
【００１９】
状態判定部１３０は、キーボードインタフェース１０３の出力する状態検出信号に基づいて、ハードウェアキーボード１０２が操作可能に配置されたか否かを判定する。本実施形態において、“操作可能に配置された”とは、ハードウェアキーボード１０２が後述のように収納位置から使用位置に移動したことを意味する。「ハードウェアキーボード１０２が操作可能に配置された」との判定がなされたとき、表示制御部１２０はユーザーが所望のキー入力画面を選択することができるように画面表示を切替える。
【００２０】
図４はハードウェアキーボード１０２の装着の形態を示す。例示のＭＦＰ１において、操作パネル１０はタッチパネル部１０Ａとキーボード部１０Ｂとを有する。タッチパネル部１０Ａに幾つかの固定キーとともに配置されたタッチパネル１０１は、操作画面を表示するディスプレイとその表示面に密着する透光性のタッチ入力デバイスとを備える。斜め上方に向くタッチパネル１０１の前面は表示面とタッチ操作面とを兼ねる。キーボード部１０Ｂは、ハードウェアキーボード１０２と一体化したスライダであり、タッチパネル部１０Ａの下方の収納位置とタッチパネル部１０Ａの外側の使用位置との間の手動による移動が可能なようにタッチパネル部１０Ａに組み付けられている。
【００２１】
図４（Ａ）においてキーボード部１０Ｂは収納位置に在り、図４（Ｂ）においてキーボード部１０Ｂは使用位置に在る。ハードウェアキーボード１０２は、ユーザーがキーボード部１０Ｂを収納位置からその前方の使用位置へ引き出すことによって操作可能に配置される。ここでいう“操作可能”とは、ハードウェアキーボード１０２の全てのキーが露出してユーザーがキーに触れることができる状態を意味し、ユーザーがキーを操作しても表示制御部１２０に受け付けられずに無効になる状態を含む。引き出されたキーボード部１０Ｂを後方へ押し戻せば、ハードウェアキーボード１０２はタッチパネル部１０Ａによって隠れる。
【００２２】
このようなハードウェアキーボード１０２を有するＭＦＰ１における全体的な動作の流れが図５に示される。
【００２３】
ＭＦＰ１の制御を担う上述のＣＰＵ１１３は、電源投入またはリセット操作に呼応して初期化処理を実行する（ステップＳ１０）。初期化処理においてＳ−ＲＡＭ１１５がクリアされ、標準モードの設定が行われる。初期化処理を終えたＣＰＵ１１３は、ステップＳ１１〜Ｓ１８のルーチンを繰り返し実行する。
【００２４】
ステップＳ１１において、ＣＰＵ１１３は状態判定部１３０として動作する。状態判定部１３０は、ステップＳ１１の前回の実行時に取得して記憶しておいたキーボードインタフェース１０３の出力値と今回の実行において取得した出力値とを比較することによって、ハードウェアキーボード１８０が引き出されるという配置状態の変化がステップＳ１１の前回の実行と今回の実行との間の時点であったかどうかを判定する。
【００２５】
ハードウェアキーボード１０２が引き出されていないかまたは前回も今回の引き出されている場合、ステップＳ１１の判定結果はＮｏとなる。その場合、ＣＰＵ１１３はステップＳ１５へ進む。
【００２６】
一方、ハードウェアキーボード１０２が操作可能に配置された場合（ステップＳ１１でＹｅｓ）、ＣＰＵ１１３はステップＳ１２，Ｓ１３，Ｓ１４において表示制御部１２０として動作する。表示制御部１２０は、ハードウェアキーボード１０２が操作可能に配置された現在時点でタッチパネル１０１によって表示されている操作画面（これを「元画面」という）がどのような画面であるかを確認し（ステップＳ１２）、ユーザーの便宜のために表示すべきショートカットキーを決定する（ステップＳ１３）。ショートカットキーは、ユーザーが元画面からハードウェアキーボードによるキー入力を受け付けるキー入力画面への画面切替えを指示するための操作キーである。ＭＦＰ１におけるキー入力画面の数は複数であり、必然的にショートカットキーの数も複数である。これら複数のショートカットキーの中から元画面が表示されている段階においてユーザーにとって必要と推定されるショートカットキーが表示すべきものとして選択される。そして、表示制御部１２０は、元画面からステップＳ１３で決定したショートカットキーを有する切替え指示画面へタッチパネル１０１における表示を切替える（ステップＳ１４）。その後にＣＰＵ１１３はステップＳ１５へ進む。
【００２７】
ステップＳ１５において、ＣＰＵ１１３は操作パネル１０によるユーザーからの何らかの要求（指示）があったか否かをチェックする。タッチパネル１０１またはハードウェアキーボード１０２の何らかの操作があった場合（ステップＳ１５でＹｅｓ）、ＣＰＵ１１３はユーザーの要求する処理を実行する（ステップＳ１６）。ここで実行する処理は様々であり、例えばコピーが要求されたときにイメージスキャナ１３やプリンタエンジン１５などを動作させるといった機構動作の制御およびショートカットキーや他の操作キーの押下に呼応する操作画面の切替えを含む。操作画面を切替えるとき、ＣＰＵ１１３は表示制御部１２０として動作する。操作パネル１０による要求がなかった場合（ステップＳ１５でＮｏ）、ＣＰＵ１１３はステップＳ１７へ進む。
【００２８】
ステップＳ１７において、ＣＰＵ１１３は外部機器からの何らかの要求があったか否かをチェックする。ネットワークインタフェース１８による何らかの要求の受信があった場合、ＣＰＵ１１３は外部機器の要求する処理を実行する（ステップＳ１８）。ここで実行する処理も様々であり、通信のリクエストに対するレスポンスの送信のように比較的に簡単な処理もあれば、印刷要求に応えるジョブの実行のように比較的に複雑な処理もある。動作設定の変更が要求されたときには、ＣＰＵ１１３はＮＶ−ＲＡＭ１１６に記憶されている各種設定情報を書き換える。要求された処理の実行が終わると、ＣＰＵ１１３はステップＳ１１へ戻る。
【００２９】
次に、図５のステップＳ１２〜Ｓ１４およびステップＳ１６に対応する表示制御部１２０についてさらに説明する。表示制御部１２０は、ハードウェアキーボード１０２が操作可能に配置されるのに呼応して元画面から切替え指示画面への表示変更を行う際に、切替え指示画面に配置するショートカットキーを予め定められた画面階層における元画面の順位に応じて決める。詳しくは、表示制御部１２０は、複数のショートカットキーのうちの元画面およびそれよりも下位の操作画面のいずれかに関係するショートカットキーのみを有する切替え指示画面をタッチパネル１０１のディスプレイに表示させる。
【００３０】
この表示制御部１２０の特徴的な機能は、ハードウェアキーボード１０２の使用に関する推察に基づいている。通常、ハードウェアキーボード１０２はユーザーがハードウェアキーボード１０２を使用しようとするときに引き出される。そして、元画面が画面階層の最上位でない場合、その状況の多くはユーザーが元画面またはそれより下位のキー入力画面でのキー入力を行おうとしている状況であると推察される。
【００３１】
ハードウェアキーボード１０２が引き出されたときに切替え指示画面を自動的に表示することによって、ユーザーは元画面の順位にかかわらずショートカットキーを操作するだけで迅速に所望のキー入力画面を表示させてハードウェアキーボード１０２によるキー入力を始めることができる。すなわち、所望のキー入力画面が元画面でもなく元画面の直上または直下の画面でなくても、ユーザーは元画面から順々に画面を手動で切替えて所望のキー入力画面を表示させなくてもよい。その上、切替え指示画面では元画面よりも上位の操作画面に関係するショートカットキーが表示されないので、全てショートカットキーが表示される場合と比べて、表示されたショートカットキーの中の操作すべきショートカットキーを見つけ易い。
【００３２】
図６はハードウェアキーボード１０２が操作可能に配置されたときの操作画面の切替えの具体例を示す。
【００３３】
ＭＦＰ１の電源スイッチがオンにされてウォームアップが終わると、またはユーザーにログインを求める運用においてＭＦＰ１によるユーザー認証が完了すると、待機画面Ｑ１が表示される。待機画面Ｑ１は、ユーザーが動作の設定を指示するための階層化された多数の操作画面の中の最上位の操作画面である。他の操作画面は待機画面Ｑ１が表示された後に表示される。ユーザーがＭＦＰ１の所望の機能を選択する操作を行うと、選択された機能に関わる操作画面に表示が切り替わる。なお、待機画面Ｑ１は、リセット操作が行われたとき、および他の操作画面が表示されたままの無操作状態が一定時間にわたって続いたときにも表示される。
【００３４】
待機画面Ｑ１が表示されたまま何らキー操作が行われていない状態において、ハードウェアキーボード１０２が引き出されると、切替え指示画面Ｑ３１が表示される。切替え指示画面Ｑ３１はユーザーのために用意された全てのキー入力画面Ｑ４１，Ｑ４２，Ｑ４３，Ｑ４４，Ｑ４５に対応する数のショートカットキーを有する（後述の図８参照）。つまり、切替え指示画面Ｑ３１では、ユーザー用のキー入力画面Ｑ４１〜Ｑ４５の全てが、ユーザーによる次画面選択の選択肢である。
【００３５】
待機画面Ｑ１が表示されている状態においてユーザーまたはサービスマンが所定のキー操作を行うと、待機画面Ｑ１に対して下位の操作画面が表示される。１回の画面切替えまたは一連のキー操作に従う複数回の画面切替えを経て表示される下位の操作画面のうち、キーボード入力に関係する画面として、ファクシミリ設定画面Ｑ３、ボックス設定画面Ｑ５、コピー設定画面Ｑ７、およびサービスマン画面Ｑ９がある。ファクシミリ設定画面Ｑ３、ボックス設定画面Ｑ５およびコピー設定画面Ｑ７は、ＭＦＰ１の機能のうちの「ファクシミリ通信」、「ボックス処理」および「コピー」に関わる設定のための操作画面である。サービスマン画面Ｑ９は、サービスマンによる設定のための操作画面である。
【００３６】
ファクシミリ設定画面Ｑ３が表示されている状態においてハードウェアキーボード１０２が引き出されると、切替え指示画面Ｑ３２が表示される。切替え指示画面Ｑ３２は、ファクシミリ設定画面Ｑ３およびそれより下位の図示しない操作画面のいずれかに関係する三つのショートカットキーを有する（後述の図１０参照）。また、ボックス設定画面Ｑ５が表示されている状態においてハードウェアキーボード１０２が引き出されると、切替え指示画面Ｑ３３が表示される。切替え指示画面Ｑ３３は、ボックス設定画面Ｑ５およびそれより下位の図示しない操作画面のいずれかに関係する二つのショートカットキーを有する（後述の図１２参照）。
【００３７】
コピー設定画面Ｑ７が表示されている状態においてハードウェアキーボード１０２が引き出されると、切替え指示画面ではなくキー入力画面Ｑ４５が表示される。つまり、コピー設定画面Ｑ７に関係するキー入力画面はヘッダー／フッター入力のためのキー入力画面ダＱ４５のみであるので、ショートカットキーの表示は省略され、コピー設定画面Ｑ７からキー入力画面Ｑ４５への直接の画面切替えが行われる。
【００３８】
そして、サービスマン画面Ｑ９が表示されている状態においてハードウェアキーボード１０２が引き出されると、サービスマンのためのキー入力画面Ｑ５１が表示される。キー入力画面Ｑ５１は、キー入力された長い文字列を表示するモニター領域を有する（後述の図１４参照）。
【００３９】
なお、切替え指示画面Ｑ３１，Ｑ３２，Ｑ３３およびキー入力画面Ｑ４５，Ｑ５１の表示の形態は、元画面に代えて表示する表示面全体の表示変更であってもよいし、元画面に部分的に重ねるポップアップ表示であってもよい。
【００４０】
以下、複数の操作画面の画面構成の具体例を挙げる。
【００４１】
図７において、タッチパネル１０１の表示面のほぼ全域にわたる待機画面Ｑ１は、メッセージや装置状態を表示する領域６１、読み取った原稿画像を表示する領域６５、および画像出力の様相をプレビュー表示する領域６６を有する。さらに、待機画面Ｑ１は、ＭＦＰにおける利用頻度の高い機能である「コピー」に関わる基本設定項目を選択するための七つの選択キーを有している。詳しくは、原稿画質キー７１、カラーモードキー７２、濃度キー７３、用紙サイズキー７４、ズーム倍率キー７５、両面／ページ集約キー７６、および仕上げキー７７がコピー設定画面Ｑ１の下端部に横一列に並べて配置されている。ユーザーがこれら七つの選択キーのいずれかにタッチすると、タッチした選択キーに対応する項目についての設定のための画面（コピー設定画面Ｑ７の一つ）が表示される。
【００４２】
図８のように、待機画面Ｑ１から切り替わって表示される切替え指示画面Ｑ３１は五つのショートカットキー９１，９２，９３，９４，９５を有する。ショートカットキー９１は、ファクシミリ通信の宛先や電子メールの文章入力などのためのキー入力画面Ｑ４１に対応する。ショートカットキー９２は、ＭＦＰ１にログインしているユーザーの個人ボックスへのアクセスのためのキー入力画面Ｑ４２に対応する。ショートカットキー９３は、ヘッダー／フッター入力のための上述のキー入力画面ダＱ４５に対応する。ショートカットキー９４は、ＬＤＡＰ（Lightweight Directory Access Protocol）宛先検索に関わるキー入力画面Ｑ４３に対応する。そして、ショートカットキー９５は、セキュリティレベルの高い機密ボックスへのアクセスのためのキー入力画面Ｑ４４に対応する。
【００４３】
図９のようにファクシミリ設定画面Ｑ３は、ユーザーまたは管理者によって登録されている宛先をワンタッチ選択するためのキーが配列される領域６７を有する。各キーには宛先の名称が付される。宛先として、ファクシミリの電話番号だけでなく、電子メールのアドレス、ＳＭＢ（Server Message Block）やＦＴＰ(File Transfer Protocol)などの各種プロトコルによるデータ通信のアドレスも登録することができる。また、ファクシミリ設定画面Ｑ３は、送信および受信のそれぞれに関わる設定項目を選択するための六つの選択キー７２，８１，８２，８３，８４，８５を有している。
【００４４】
図１０のように、ファクシミリ設定画面Ｑ３から切り替わって表示される切替え指示画面Ｑ３２では、五つのショートカットキー９１〜９５のうちの二つの表示が省略され、ショートカットキー９１，８３，９４のみが表示される。
【００４５】
ここで、ユーザーがショートカットキー９３にタッチしてキー入力画面Ｑ４５を表示させると、例えば電子メールのヘッダーをハードウェアキーボード１０２によって書き換えることができる。電子メールは、スキャン画像を添付ファイルとして送付するものであったり、スキャン画像の格納先であるＵＲＬ(Uniform Resource Locator)をメールの本文として送信するものであったり、ＭＦＰ１で生じたトラブルの内容などを製造元に通知するためのものであったりする。電子メールに詳しいユーザーは、煩雑なタッチパネル操作をすることなく、ヘッダーに記入すべき文字列を入力することができる。
【００４６】
図１１のようにボックス設定画面Ｑ５は、共有や個人といったボックス種別ごとに各ボックス内のファイルを一覧表示する領域６８を有する。
【００４７】
図１２のように、ボックス設定画面Ｑ５から切り替わって表示される切替え指示画面Ｑ３３では、五つのショートカットキー９１〜９５のうちの三つの表示が省略され、ショートカットキー９２，９５のみが表示される。
【００４８】
図１３のようにサービスマン画面Ｑ９では、左半部に多数の設定項目を選択するための選択キーが配置され、右半部に左半部で選択された項目の詳細項目を選択するための選択キーが配置される。図示では、左半部において項目「システム設定１」が選択されており、この項目の選択キーが白黒反転によって強調されている。
【００４９】
図１４のように、サービスマン画面Ｑ９から切り替わって表示されるキー入力画面Ｑ５１は、ハードウェアキーボード１０２によって入力された文字列を表示するモニターウィンドウＷ５を有する。キー入力画面Ｑ５１において、サービスマンは多数の項目の設定を含む意図した操作を選択キーの押下による画面切替えを行うことなく、ターミナルコマンドの入力によって素早く行うことができる。
【００５０】
以上の実施形態では、元画面よりも上位の操作画面に関わるショートカットキーを表示しない例を挙げたが、これに限らない。元画面の画面階層における順位にかかわらず、元画面と関連する全てのキー入力画面に対応するショートカットキーを、元画面から切り替わって表示される切替え指示画面に配置してもよい。元画面に関連するショートカットキーが多数である場合、元画面との関連が深いものを優先的に選択して表示するようにしてもよい。
【００５１】
上述の実施形態において、元画面がトラブル発生を表示する画面である場合に、製造元に送る連絡文を入力するためのキー入力画面を表示することができる。また、キー入力画面ではなく、キー入力画面か製造元情報を表示する画面かを選択するためのショートカットキーを有した切替え指示画面を表示するようにしてもよい。
【００５２】
元画面が印刷ジョブの詳細を表示する画面である場合、ＰＪＬ(Printer Job Language)または他のページ記述言語で記述されたコマンドの文字列を編集するためのキー入力画面を表示することができる。ページ記述言語に詳しいユーザーは、煩雑なタッチパネル操作をすることなく、印刷ジョブの内容を素早く書き換えることができる。
【００５３】
上述の実施形態において、ハードウェアキーボード１０２はＭＦＰ１にユーザーがＭＦＰ１の購入に際して装着の要否を選択できない標準の装置であってもよいし、ユーザーが装着の要否を選択するオプション装置であってもよい。
【００５４】
ハードウェアキーボード１０２を操作パネル１０に組み付けるのではなく、特許文献１の開示のようにユーザーが適宜着脱する構成においても本発明を適用することができる。
【符号の説明】
【００５５】
１    ＭＦＰ（画像形成装置）
１０１    タッチパネル（ディスプレイ）
１０２    ハードウェアキーボード
Ｑ４１，Ｑ４２，Ｑ４３，Ｑ４４，Ｑ４５    キー入力画面（操作画面）
Ｑ５１    サービスマンのためのキー入力画面（操作画面）
Ｑ１    待機画面（操作画面）
Ｑ３    ファクシミリ設定画面（操作画面）
Ｑ５    ボックス設定画面（操作画面）
Ｑ７    コピー設定画面（操作画面）
Ｑ９    サービスマン画面（操作画面）
Ｑ３１，Ｑ３２，Ｑ３３    切替え指示画面（操作画面）
１２０    表示制御部
１３０    状態判定部
９１，９２，９３，９４，９５    ショートカットキー
１１３    ＣＰＵ（コンピュータ）
【図１】
0005648390.tif 000002
【図２】
0005648390.tif 000003
【図３】
0005648390.tif 000004
【図４】
0005648390.tif 000005
【図５】
0005648390.tif 000006
【図６】
0005648390.tif 000007
【図７】
0005648390.tif 000008
【図８】
0005648390.tif 000009
【図９】
0005648390.tif 000010
【図１０】
0005648390.tif 000011
【図１１】
0005648390.tif 000012
【図１２】
0005648390.tif 000013
【図１３】
0005648390.tif 000014
【図１４】
0005648390.tif 000015